(57)【特許請求の範囲】
【請求項１】
粒度調整された粉体状の原料配合物と水とを混練してなる、不定形耐火物のポンプ圧送における配管部洗浄用置換材であって、１００℃以下の温度域で硬化及び凝集する結合剤を含有せず、かつ２４時間放置した後のタップフロー値が１４０ｍｍ以上であることを特徴とする配管部洗浄用置換材。
【請求項２】
前記原料配合物が、１ｍｍ以下の粒子を７０重量％以上で、且つ７５μｍ以下の微粉を３０重量％以上含有することを特徴とする請求項１に記載の配管部洗浄用置換材。
【請求項３】
可塑剤を更に含有することを特徴とする請求項１または請求項２に記載の配管部洗浄用置換材。
【請求項４】
前記可塑剤の含有量が、０．１〜３０重量％であることを特徴とする請求項３に記載の配管部洗浄用置換材。
【請求項５】
請求項１〜請求項４のいずれか一項に記載の配管部洗浄用置換材を、不定形耐火物のポンプ圧送施工終了後にポンプ圧送し、配管及びホース内に残存する不定形耐火物と置き換えた後、配管及びホース内を洗浄することを特徴とするポンプ圧送用配管部洗浄方法。
【請求項６】
請求項１〜請求項４のいずれか一項に記載の配管部洗浄用置換材を、不定形耐火物のポンプ圧送施工終了後にポンプ圧送し、配管及びホース内に残存する不定形耐火物と置き換え、放置し、次回施工時にそのまま続いて不定形耐火物を圧送することを特徴とする不定形耐火物のポンプ圧送方法。
【発明の詳細な説明】
【０００１】
【発明の属する技術分野】
本発明は、不定形耐火物のポンプ圧送における配管部洗浄用置換材、該置換材を用いる配管部洗浄方法および不定形耐火物のポンプ圧送方法に関する。詳細には、鉄鋼業用高炉，高炉樋，溶銑鍋，転炉，取鍋，ＲＨ，ＴＤ等や各種工業窯炉に湿式吹付用不定形耐火物または流し込み用不定形耐火物をポンプ圧送施工した後の配管部洗浄用置換材に関するものであり、更に、この置換材を用いるポンプ圧送用配管部の洗浄方法および不定形耐火物のポンプ圧送方法に関する。
【０００２】
【従来の技術】
不定形耐火物は、施工において煉瓦のような熟練作業を必要とせず、施工の省力化や自動化が容易であるため、各窯炉において使用が広がっている。
【０００３】
最近、低セメント化された緻密質不定形耐火物である流し込み材や湿式吹付材を、ポンプ圧送して施工場所へ移送し、流し込み施工、あるいは、ノズルを設け該ノズル部で圧搾空気と共に凝集・硬化剤を添加して吹付を行う湿式吹付施工が増加している。
特に、湿式吹付施工では、吹付施工方法がもつ“施工枠が不要で施工性に優れている”という点だけでなく、従来の乾式吹付施工よりも低水分で吹付可能なため、緻密化及び高強度化が容易で、耐用性が向上し、また、粉塵やリバウンドロスが低減するという特徴がある。
【０００４】
上記したような流し込み材及び湿式吹付材などの不定形耐火物のポンプ圧送施工では、ポンプ圧送が終了したとき、ポンプから配管、配管出口まで材料が充満した状態である。このため、通常、施工終了後に水を圧送し、配管及びホース内に残存している材料を押し出して洗浄を行うが、配管内の材料を直接水で圧送すると、水が先行し、材料の粒と微粉が分離して閉塞し、圧送不能となる。これを防ぐために、配管内の材料と水の間にスポンジや紙屑等を入れることが多い。
【０００５】
【発明が解決しようとする課題】
しかしながら、施工量が多い場合の施工終了時には、圧送配管やホース内壁に残存する材料(流動性が低下しポンプ圧送性が低下した材料)が付着した状態になっていることが多く、このような場合や、もともとポンプ圧送性の低い材料を用いている場合では、スポンジや紙屑等を配管内の材料と水の間に入れても、圧送抵抗が高くなるため、やはり水が先行し、分離して閉塞することがあった。
【０００６】
また、施工場所や窯炉によっては、施工終了後直ちに配管を洗浄することができない場合があり、このような場合には、しばらくの間圧送停止状態になるが、この間に配管内の材料が分離したり硬化したりすることで、圧送洗浄不能になる場合もあった。特に、高温の炉内で吹付施工を行った場合では、その熱のために、施工終了後短時間で配管及びホース内の材料の圧送性が低下したり、硬化したりすることで、圧送洗浄不能になることが多かった。
【０００７】
水での圧送洗浄が不能になった場合、ホースや配管の洗浄は困難であり、洗浄に多くの労力・時間が必要となる。特に材料の硬化により圧送洗浄不能になった場合は、ホースや配管が使用不能になることが多かった。
【０００８】
本発明は、上記の欠点及び問題点を解決するものであり、ポンプ圧送による流し込み施工後及び湿式吹付施工後の“配管部での不定形耐火物の硬化，閉塞”のトラブルを防止する材料(配管部洗浄用置換材)を提供することを目的とし、また、この材料(配管部洗浄用置換材)を用いたポンプ圧送用配管部の洗浄方法、及び、不定形耐火物のポンプ圧送方法を提供することを目的とする。
【０００９】
【課題を解決するための手段】
本発明者等は、鋭意検討した結果、特定の材料を配管部洗浄用置換材とすることによって、前記欠点及び問題点を解決し得ることを見いだし、本発明を完成させるに至った。
【００１０】
即ち、本発明は、前記目的を達成する技術的構成として、本発明の配管部洗浄用置換材では、「粒度調整された粉体状の原料配合物と水とを混練してなる、不定形耐火物のポンプ圧送における配管部洗浄用置換材であって、１００℃以下の温度域で硬化及び凝集する結合剤を含有せず、かつ２４時間放置した後のタップフロー値が１４０ｍｍ以上であること」を特徴とし(請求項１)、また、
・前記原料配合物が、１ｍｍ以下の粒子を７０重量％以上で、且つ７５μｍ以下の微粉を３０重量％以上含有すること(請求項２)、
・可塑剤を更に含有し(請求項３)、該可塑剤の含有量が、０．１〜３０重量％であること(請求項４)、
を特徴とし、この技術的構成によって、ポンプ圧送による流し込み施工後及び湿式吹付施工後の“配管部での不定形耐火物の硬化，閉塞”のトラブルを防止し得る配管部洗浄用置換材を提供することができる。
【００１１】
本発明のポンプ圧送用配管部の洗浄方法では、「前記した本発明の配管部洗浄用置換材を、不定形耐火物のポンプ圧送施工終了後にポンプ圧送し、配管及びホース内に残存する不定形耐火物と置き換えた後、配管及びホース内を洗浄すること」を特徴とし(請求項５)、これによって、水での圧送洗浄が容易に行うことができる。
【００１２】
本発明のポンプ圧送方法では、「前記した本発明の配管部洗浄用置換材を、不定形耐火物のポンプ圧送施工終了後にポンプ圧送し、配管およびホース内に残存する不定形耐火物と置き換え、放置し、次回施工時にそのまま続いて不定形耐火物を圧送すること」を特徴とし(請求項６)、これによって、その後の不定形耐火物を問題なく圧送・施工することができ、しかも、配管およびホース内の“水による洗浄作業”を省略することができるので、作業能率を向上させることができる。
【００１３】
【発明の実施の形態】
以下、本発明の実施の形態について説明すると、本発明の配管部洗浄用置換材は、粒度調整された粉体状の原料配合物(以下、単に“配合物”という)を水で混練したものであって、「１００℃以下の温度域で硬化及び凝集するような結合剤（水硬性や気硬性及び反応によりゲルを生成する等の結合剤）を含有しないこと」を特徴とする(第一の特徴点)。１００℃を境界とする理由は、炉内温度が１００℃以上であっても、配管及びホース内は通常密閉されていないので、この中の洗浄用置換材は、水分がある限り１００℃以上に上がらないからである。
【００１４】
本発明の上記第一の特徴点により、常温はもちろんのこと高温下の作業でも、ポンプ圧送性が低下せず、従来と比較して容易に洗浄が可能となる。また、混練水分の蒸発により作業性が低下した場合であっても、バインダーによる化学的な硬化ではないため、容易に洗浄することができる。
【００１５】
本発明の配管部洗浄用置換材は、上記第一の特徴点に加えて、さらに「水との混練後２４時間放置した後のタップフロー値が１４０ｍｍ以上であること」を特徴とする(第二の特徴点)。タップフロー値が１４０ｍｍ未満であると、ポンプ圧送性が低下するため、閉塞を起こしやすく、洗浄作業が困難となるので好ましくない。この第二の特徴点により、水との混練後２４時間放置した後であっても、タップフロー値が１４０ｍｍ以上であることから、ポンプ圧送が可能であり、諸事情により施工後直ちに配管及びホースの洗浄ができない場合でも、ポンプ圧送性の低下が小さく、従来発生していた閉塞トラブルを回避することができる。
【００１６】
本発明における“タップフロー値”とは、ＪＩＳ Ｒ ２５２１に規定されるフロー試験方法により得られる値である。具体的には、上部及び下部が開放されている“上部内径７０ｍｍ，下部内径１００ｍｍ，高さ６０ｍｍ”の円錐台形の鋼製容器をタップフローテーブルに乗せ、該鋼製容器の中に上部から測定試料を詰め棒で２層に分けて充填した後、２〜３秒で上方に鋼製容器を抜き取り、１５秒に１５回落下運動を与え、材料が広がった径の長さ(ｍｍ)を最大と認められる方向とこれに直角な方向について計る。この２つの長さの平均値を整数に丸めた値を“タップフロー値”としている。
【００１７】
本発明の配管部洗浄用置換材で用いる配合物の粒度構成としては、限定されるものではないが、１ｍｍ以下の粒子を７０重量％以上で、且つ７５μｍ以下の粒子を３０重量％以上含有するものが好ましい。
１ｍｍ以下の粒子が７０重量％未満では、相対的に１ｍｍ以上の粗粒が多くなるため、配管およびホース、特にテーパー部内でブリッジを起こしたり、数時間放置していた場合に沈降を起こしたりしやすく、圧送抵抗の増大や閉塞等の問題を引き起こす可能性が高くなり、洗浄作業が困難となる傾向がある。また、７５μｍ以下の粒子が３０重量％未満では、可塑性に乏しく、粒と微粉が分離しやすくなるため、やはり圧送抵抗の増大や閉塞等の問題が起こりやすくなるので好ましくない。より望ましくは、７５μｍ以下の粒子を３０重量％以上含有し、且つ２０μｍ以下の粒子を１５重量％以上含有するものである。
【００１８】
また、配合物に用いる粒子の最大粒径については、ポンプ圧送性の点で、圧送配管やホース及びノズルの最小内径の１／３以下が好ましい。このサイズを上回るような粒径の粒子を用いると、閉塞の原因となりやすく、洗浄が困難となる。より好ましくは最大粒径が５ｍｍ以下の粒子である。
なお、本発明の配管部洗浄用置換材に用いる配合物は、1ｍｍ以下の粒子が１００重量％であってもなんの差し支えもなく、置換材の機能と効果には問題なく適用が可能であり、これも本発明に包含されるものである。
【００１９】
しかし、本発明の配管部洗浄用置換材に使用される原料としては、先に圧送される不定形耐火物と同種の成分の原料が最も好ましい。これは、配管部洗浄用置換材に、先に圧送される不定形耐火物の成分と反応し、凝集または硬化する原料を使用すると、ポンプ圧送性が低下し、洗浄が困難となるためである。例えば、先に圧送される不定形耐火物にリン酸塩や珪酸塩が含まれている場合、マグネシアを含有した置換材を用いると、凝集することがあるので好ましくない。
【００２０】
従って、本発明の配管部洗浄用置換材において、先に圧送される不定形耐火物の成分と反応し、凝集または硬化しない原料であれば、問題なく使用可能であり、この条件を満たせば、一般に耐火物に使用されている耐火原料だけでなく、川砂，山砂，海砂等の建築用コンクリートの骨材原料なども使用可能である。
骨材の内、耐火原料としては、本発明で特に限定されるものではなく、通常使用されている耐火原料が使用可能であり、例えば、アルミナ，シリカ，マグネシア，ジルコニア，クロミア，炭素，炭化物，窒化物等を１種または２種以上含有するものが挙げられる。これらの原料は、天然のもの，天然のものに化学的または物理的な処理を加えたもの，人工的に合成されたもの，スラグまたは副生物として回収されたもの，耐火物の粉砕品や加工屑，のいずれであってもよい。例えば、電融アルミナ，焼結アルミナ，仮焼アルミナ，ボーキサイド，電融マグネシア，焼結マグネシア，アルミナ−マグネシアスピネル，バン土頁岩，カイヤナイト，アンダリュサイト，ムライト，ロー石，シャモット，シリカフラワー，クロム鉱，ジルコン，ジルコニア，炭化珪素，黒鉛等や、これらを用いた耐火物の粉砕物や加工屑などが挙げられる。
ここで注意しなければならないのは、カルシアまたはカルシウム塩を含有するものは水硬性を発現するおそれがあるので、用いないことである。
【００２１】
ただし、配管部洗浄用置換材に置き換え、放置し、次回施工時にそのまま続いて不定形耐火物を圧送する場合には、配管部洗浄用置換材が続いて圧送する不定形耐火物の高温特性を阻害することがあるので、続いて圧送する不定形耐火物の成分と同種の成分の耐火原料を使用するのが好ましい。特に微粉原料は、配管及びホース内に残る可能性が高いので、続いて圧送する不定形耐火物の成分と同種の成分の耐火原料を使用することが好ましい。
【００２２】
しかしながら、異なる種類の不定形耐火物を圧送する毎に、配管部洗浄用置換材の種類を変えることは作業が煩雑になり好ましくない。本発明者等は、種々検討した結果、次に例示するような組み合わせ以外であれば、続いて圧送する不定形耐火物の高温特性を損ねることがないので、通常耐火物に使用される化学組成の耐火材料を、配管部洗浄用置換材の耐火材料として任意に使用することができる。
【００２３】
酸性不定形耐火物（例えば、シリカなどの酸性原料を６０重量％以上含有する不定形耐火物）に対して、塩基性の耐火材料（例えば、マグネシアやカルシアなどの塩基性原料を６０重量％以上含有する耐火材料）で構成される配管部洗浄用置換材の使用は、上記酸性不定形耐火物の高温特性を著しく損ねる場合があるので、好ましくない。
また、塩基性不定形耐火物（例えば、マグネシアなどの塩基性原料を６０重量％以上含有する不定形耐火物）に対して、酸性の耐火材料（例えば、シリカなどの酸性原料を６０重量％以上含有する耐火材料）で構成される配管部洗浄用置換材の使用も、同様の理由で好ましくない。
【００２４】
本発明の配管部洗浄用置換材には、可塑性原料(可塑剤)を含有していても良く、これは、本発明の好ましい実施形態である。この実施形態によれば、配管部洗浄用置換材に可塑性が付与されることになり、水分を多めに加えた柔らかい置換材としても、適度な保形性を有するため、粒と微粉が分離しにくく、ポンプ圧送性が向上し、圧送抵抗の増大や閉塞等の問題を防止することが可能である。
【００２５】
可塑性材料(可塑剤)としては、カオリナイトやモンモリロナイトなどの粘土鉱物，セリサイトなどの雲母類，長石類、あるいは、セピオライトなどの蛇紋岩類のような“可塑性を示す無機鉱物”を使用することができる。
また、配管部洗浄用置換材に添加することで、見かけ上可塑性を示すようになる有機系添加剤、例えば、デキストリン，アラビアゴム，メチルセルロース，カルボキシメチルセルロース，ポリビニルアルコール，その他各種の多糖類などを使用することができる。これらの有機系添加剤は、乾燥されると強度を発現するものもあるが、乾燥を防げば、硬化することはなく、見かけ上可塑性を示すので使用可能である。
【００２６】
上記のような可塑性原料(可塑剤)や有機系添加剤は、通常各種の耐火物にも使用されるものであり、配管部洗浄用置換材に置き換え、放置し、次回施工時にそのまま続いて不定形耐火物を圧送する場合も、続いて圧送する不定形耐火物が有する本来の特性(耐火性などの性能)を大きく阻害するものではない。
【００２７】
可塑性原料(可塑剤)の含有量は、配管部洗浄用置換材の比重や粒度によって調整されるべきであるが、通常、置換材１００重量部中０．０１〜３０重量％であることが望ましい。この範囲内とすることにより、配管部洗浄用置換材の可塑性を確保し、スムーズな圧送性を与え、かつ粒と微粉の分離を防止することができるので好ましい。
【００２８】
また、本発明の配管部洗浄用置換材に分散剤を添加することも、本発明の好ましい実施形態である。分散剤としては、配管部洗浄用置換材の骨材成分と反応し凝集または硬化せず、また、先に圧送される不定形耐火物及び続いて圧送される不定形耐火物と反応し凝集または硬化しないものであれば、特に限定されるものではなく、周知の分散剤を任意に使用することができる。
但し、先に圧送される不定形耐火物及び続いて圧送される不定形耐火物と反応し凝集または硬化する分散剤を使用すると、置換材や続いて圧送される不定形耐火物のポンプ圧送性が低下し、洗浄あるいは施工が困難となるため、使用してはならない。
【００２９】
さらに、本発明の配管部洗浄用置換材に着色剤を添加することも、本発明の好ましい実施形態である。このように着色剤を添加しておくと、不定形耐火物と置換したかどうか容易に判別することが可能となる。着色剤としては、顔料系，染料系のいずれも使用することができる。
本発明の配管部洗浄用置換材を着色するためには、少量の着色剤の添加量でよく、着色剤の種類にもよるが、０．００１〜５％程度の濃度で十分である。
【００３０】
本発明の配管部洗浄方法は、上記した配管部洗浄用置換材を使用する配管部洗浄方法であって、不定形耐火物である流し込み材または湿式吹付材のポンプ圧送施工終了に合わせて、上記配管部洗浄用置換材を混練，圧送し、配管洗浄前に、この配管およびホース内に残存する不定形耐火物を配管部洗浄用置換材に置き換え、その後、配管及びホース内を水で洗浄する方法である。
この方法によれば、配管及びホース内の配管部洗浄用置換材が結合剤を含まず硬化していないので、水での圧送洗浄が容易に行うことができる。
【００３１】
一方、本発明の不定形耐火物のポンプ圧送方法は、上記洗浄方法と同様、配管及びホース内に残存する不定形耐火物を配管部洗浄用置換材に置き換え、その後、配管及びホース内を水にて洗浄せずに放置し、次回施工時にそのまま続いて不定形耐火物を圧送する方法である。
この方法によれば、配管及びホース内の水による洗浄工程が省かれるため、不定形耐火物のポンプ圧送施工における作業工程が簡略化できる。但し、ミキサーやホッパー及び圧送部については、水で洗浄しなければならない。また、置換材を１日以上放置していた場合、ホースの先端のように空気にさらされる部位は、水分が蒸発し、ポンプ圧送性が低下していることがあるので、不定形耐火物を圧送する前に、この部位だけ置換材を取り除くことが望ましい。
【００３２】
【実施例】
次に、本発明の実施例を比較例と共に挙げ、本発明を具体的に説明するが、本発明は、以下の実施例に限定されるものではない。
【００３３】
＜本発明の配管部洗浄用置換材に係る実施例，比較例＞
各種原料（耐火原料，建築用原料，可塑剤，分散剤）および水を、表１に示す割合（いずれも“重量部”）で配合し混練して、本発明の配管部洗浄用置換材（配合例１〜５）及び比較配合例１，２のポンプ圧送施工用不定形耐火物を製造した。なお、表１に配合例１〜５及び比較配合例１，２で用いた原料の粒度構成(重量％)を表示した。
【００３４】
得られた配合例１〜５及び比較配合例１，２に対して、次に示す圧送テストにより、水と混練し２４時間後の「吐出圧力」及び「洗浄作業性」の評価を行った。この評価結果を表１に示した。また、水と混練し２４時間後の「タップフロー値(ｍｍ)」を測定し、同じく表１に示した。
【００３５】
（圧送テスト）
配合例１〜５及び比較配合例１，２を水にて混練し、配管全てを満たす程度に圧送した後２４時間放置し、その後再び圧送を行い、このときの「吐出圧力」を測定した。(この吐出圧力が低いほどポンプ圧送性が良好であることを示している。)
また、「洗浄作業性」については、配合例１〜５及び比較配合例１，２の圧送後の“水での配管洗浄”の際に、洗浄の難易度及び洗浄作業に要する時間により、混練２４時間後の洗浄作業性の評価を行い、
・洗浄が容易でかつ作業時間が３０分以内であった材料：○
・洗浄が多少困難で作業時間に３０分〜１２０分要した材料：△
・洗浄が非常に困難で作業時間が１２０分以上か或いは閉塞して洗浄不可能に
なった材料：×
で示した。但し、混練２４時間後のタップフロー値測定の際に材料が硬化していたものは、配管内でも同様に硬化するとみなし、実際には圧送は行わず“圧送・洗浄不可”とした。
圧送テストに用いた圧送ポンプは、最大吐出量：10m3/hour，最大吐出圧力：10.4MPa，ピストン口径80mmのダブルピストンポンプを使用した。この圧送ポンプの出口からレデューサーを使用して径を絞り込み、内径50mmの配管(金属配管部とフレキシブルホースからなる)を30ｍ接続して圧送を行った。
【００３６】
【表１】
0003669959.tif 000002
【００３７】
表１から、本発明の配管部洗浄用置換材の実施例である“配合例１〜５”では、吐出圧力が低く、ポンプ圧送性が良好であることがわかった。また、洗浄作業性が容易であって、洗浄作業も短時間で終了することがわかった。
これに対して、比較配合例１，２では、アルミナセメント(結合剤)を含有しているので、硬化してしまい、“圧送・洗浄不可”であった。
【００３８】
＜本発明の配管部洗浄方法に係る実施例，比較例＞
施工対象として高炉を用い、比較配合例１の湿式吹付施工を行ったときの例（比較例，実施例）を示す。
【００３９】
（比較例）
湿式吹付施工時の高炉内は２００℃であった。施工部位は地上４０ｍの高所であり、作業性の点から施工終了後直ちに配管及びホース内を洗浄することができない状態であったため、施工終了後、配管及びホース内に湿式吹付施工に用いた比較配合例１の不定形耐火物を残した状態にしていた。１時間後に配管及びホースの洗浄を開始したが、比較配合例１は結合剤を含んでいるため、材料が硬化し、閉塞が発生した。このため、水での圧送洗浄が不可能となった。洗浄に半日かかり、非常に多くの労力・時間を費やす結果となった。また、一部の配管及びホースの中には使用不能になったものもあった。
【００４０】
（実施例）
同じ高炉における湿式吹付施工において、比較配合例１の施工終了後に、続けて配合例１に示す本発明の置換材を混練・圧送し、配管及びホース内に残存する比較配合例１の不定形耐火物を配合例１に置換した。１時間後に水で洗浄したところ、配管及びホース内の配合例１の置換材は結合剤を含まず硬化していないので、配合例１の圧送が極めて良好であって、水での圧送洗浄が容易に行うことができ、わずか１０分で終了した。
【００４１】
＜本発明のポンプ圧送方法に係る実施例＞
取鍋の施工で、比較配合例２のポンプ圧送施工を行ったときの例を示す。
比較配合例２のポンプ圧送施工終了後に、配合例５に示す本発明の置換材を混練・圧送し、配管及びホース内に残存する比較配合例２の不定形耐火物を配合例５に置換した。その後、配管及びホース内を水にて洗浄せずに２日間放置した。２日後の取鍋の施工時に、そのまま続いて比較配合例２を圧送することを試みた。その結果、比較配合例２の不定形耐火物を問題なく圧送・施工することができた。このことによって、配管及びホース内の水による洗浄作業が省かれたので、洗浄工程が簡略化され、作業能率を向上させることができた。
【００４２】
【発明の効果】
以上詳記したとおり、本発明の配管部洗浄用置換材は、「粒度調整された粉体状の原料配合物と水とを混練してなる、不定形耐火物のポンプ圧送における配管部洗浄用置換材であって、１００℃以下の温度域で硬化及び凝集する結合剤を含有せず、かつ２４時間放置した後のタップフロー値が１４０ｍｍ以上であること」を特徴とし、これによって、ポンプ圧送による流し込み施工後及び湿式吹付施工後の“配管部での不定形耐火物の硬化，閉塞”のトラブルを防止し得る洗浄用置換材を提供することができる。
【００４３】
また、本発明のポンプ圧送用配管部の洗浄方法は、「前記した本発明の配管部洗浄用置換材を、不定形耐火物のポンプ圧送施工終了後にポンプ圧送し、配管及びホース内に残存する不定形耐火物と置き換えた後、配管及びホース内を洗浄すること」を特徴とし、これによって、水での圧送洗浄が容易に行うことができる。
【００４４】
更に、本発明のポンプ圧送方法は、「前記した本発明の配管部洗浄用置換材を、不定形耐火物のポンプ圧送施工終了後にポンプ圧送し、配管およびホース内に残存する不定形耐火物と置き換え、放置し、次回施工時にそのまま続いて不定形耐火物を圧送すること」を特徴とし、これによって、その後の不定形耐火物を問題なく圧送・施工することができ、しかも、配管およびホース内の“水による洗浄作業”を省略することができるので、作業能率を向上させることができる。